(57)【特許請求の範囲】
【請求項１】
配管用の第１筒状カバーの接続端部に、配管用の第２筒状カバーの接続端部を外嵌接続するとともに、前記第１筒状カバーと第２筒状カバーとの筒軸芯方向での相対的な離脱移動を阻止する抜止め手段を設けてある配管用カバーの抜止め構造であって、
前記抜止め手段を構成するに、前記第２筒状カバーの接続端部の内面に、両筒状カバーの相対離脱移動時に前記第１筒状カバーの接続端部の外面に喰い込み又は引っ掻き可能な状態で圧接される係止部を備えた弾性変形可能な係止部材を設けてあり、
前記係止部材が、前記第２筒状カバーの外嵌側接続端部の内面に形成された凹部に対して脱着可能に取付けられており、
前記係止部材が、前記凹部内に嵌まり込む状態で取付けられる取付け板部と、当該取付け板部に対して交差姿勢に折り曲げ形成された弾性変形可能な係止板部とからなり、前記係止板部の先端縁が前記係止部に構成されている配管用カバーの抜止め構造。
【請求項２】
前記係止部材が、前記第１筒状カバーの接続端部との当接に連れて前記第２筒状カバーの内面側に弾性変形する状態で設けられている請求項１記載の配管用カバーの抜止め構造。
【請求項３】
前記係止部材が、前記第２筒状カバーの接続端部の内面の周方向複数箇所に設けられている請求項１又は２記載の配管用カバーの抜止め構造。
【請求項４】
前記凹部が、前記第１筒状カバーの接続端部の外面に接当又は近接する状態で径方向内方に向かって突出する区画突起により区画形成されている請求項１〜３のいずれか１項に記載の配管用カバーの抜止め構造。
【請求項５】
前記係止部材の取付け板部には、前記凹部に設けた取付けピンに外嵌可能な貫通孔が形成され、この貫通孔の周囲には、前記取付けピンの外面に喰い込み又は引っ掻き可能な係止端を備え、且つ、前記取付けピンへの外嵌装着に連れて弾性変形する複数の係止片が形成されている請求項１〜４のいずれか１項に記載の配管用カバーの抜止め構造。
【請求項６】
前記区画突起の凹部側となる内側面のうち、筒軸芯方向に沿う内側面の少なくとも一部が、前記凹部の取付け座面に対してそれの垂直線方向に離間するほど凹部内方側に突出する傾斜面に構成されている請求項４記載の配管用カバーの抜止め構造。
【請求項７】
前記取付けピンが、前記凹部の中心位置に対して偏位した部位に配置されている請求項５記載の配管用カバーの抜止め構造。
【請求項８】
前記係止板部が、当該係止板部の前記先端縁が前記第２筒状カバーの奥側に位置するように、前記取付け板部に対して折り返し形成されている請求項１〜７のいずれか１項に記載の配管用カバーの抜止め構造。
【発明の詳細な説明】
【技術分野】
【０００１】
本発明は、配管用の第１筒状カバーの接続端部に、配管用の第２筒状カバーの接続端部を外嵌接続するとともに、前記第１筒状カバーと第２筒状カバーとの筒軸芯方向での相対的な離脱移動を阻止する抜止め手段を設けてある配管用カバーの抜止め構造に関する。
【背景技術】
【０００２】
従来の配管用カバーの抜止め構造では、前記抜止め手段を構成するに、横断面形状が略八角形に形成された第１筒状カバーの外周面のうち、一辺おきに位置する各側面部に、径方向内方側に突出するアリ溝状の係止溝を筒軸芯方向に沿って形成し、この各係止溝における接続端部領域に軟質樹脂製の抜け止め用の嵌入部材を筒軸芯方向から嵌入保持させ、他方、第２筒状カバーの接続端部の内面には、第１筒状カバーの各係止溝に嵌入保持させた嵌入部材に対して筒軸芯方向から係合することにより、第１筒状カバーと第２筒状カバーとの相対離脱移動を阻止する係止突起を形成している（例えば、特許文献１参照）。
【先行技術文献】
【特許文献】
【０００３】
【特許文献１】実開平４−３１３９３号公報
【発明の概要】
【発明が解決しようとする課題】
【０００４】
従来の配管用カバーの抜止め構造では、嵌合接続された両筒状カバーに振動や地震等に起因して離脱方向の外力が作用したとき、第２筒状カバーの接続端部の内面に形成した係止突起と第１筒状カバーの係止溝に嵌入保持させた嵌入部材とが筒軸芯方向から係合することにより、両筒状カバーの離脱を阻止することができる。
【０００５】
しかし、前記抜止め手段を構成するにあたっては、上述の如く、第１筒状カバーの外周面における筒軸芯方向の全域に亘ってアリ溝状の係止溝を形成し、第２筒状カバーの内面には係止突起を形成し、且つ、第１筒状カバーの係止溝には嵌入部材を嵌入保持させる必要があるため、配管用カバーの抜止め構造が複雑化するとともに、製造コストが高騰化する不都合がある。
【０００６】
本発明は、上述の実状に鑑みて為されたものであって、その主たる課題は、第２筒状カバーの接続端部に対する合理的な改良のみをもって、両筒状カバーの離脱移動を良好に阻止することができ、しかも、この離脱阻止構造を利用して両筒状カバーの嵌合接続部でのガタツキを抑制することのできる配管用カバーの抜止め構造を提供する点にある。
【課題を解決するための手段】
【０００７】
本発明による第１の特徴構成は、配管用の第１筒状カバーの接続端部に、配管用の第２筒状カバーの接続端部を外嵌接続するとともに、前記第１筒状カバーと第２筒状カバーとの筒軸芯方向での相対的な離脱移動を阻止する抜止め手段を設けてある配管用カバーの抜止め構造であって、
前記抜止め手段を構成するに、前記第２筒状カバーの接続端部の内面に、両筒状カバーの相対離脱移動時に前記第１筒状カバーの接続端部の外面に喰い込み又は引っ掻き可能な状態で圧接される係止部を備えた弾性変形可能な係止部材を設けてあり、
前記係止部材が、前記第２筒状カバーの外嵌側接続端部の内面に形成された凹部に対して脱着可能に取付けられており、
前記係止部材が、前記凹部内に嵌まり込む状態で取付けられる取付け板部と、当該取付け板部に対して交差姿勢に折り曲げ形成された弾性変形可能な係止板部とからなり、前記係止板部の先端縁が前記係止部に構成されている点にある。
【０００８】
上記構成によれば、前記第１筒状カバーの接続端部と第２筒状カバーの接続端部とを嵌合接続した状態では、第２筒状カバーの接続端部の内面に設けた係止部材の係止部が第１筒状カバーの接続端部の外面に弾性力で圧接された状態にあるため、この状態で両筒状カバーに振動や地震等に起因する離脱方向の外力が作用したときには、前記係止部材の係止部が第１筒状カバーの接続端部の外面に喰い込む又は引っ掻くことによる離脱阻止抵抗により、両筒状カバーの筒軸芯方向での相対離脱移動を阻止することができる。
【０００９】
しかも、前記第２筒状カバーの接続端部の内面に設けた係止部材の係止部を第１筒状カバーの外面に圧接させているため、第１筒状カバーの接続端部の外面と第２筒状カバーの接続端部の内面との対向面間での隙間によるガタツキを抑制することができる。
【００１０】
したがって、前記第１筒状カバーの外面に喰い込み又は引っ掻き可能な状態で圧接される係止部を備えた弾性変形可能な係止部材を第２筒状カバーの接続端部に設けるだけであるから、第１筒状カバーに対する改造は一切不要となり、構造の簡素化と製造コストの低廉化とを図りながら両筒状カバーの離脱移動を良好に阻止することができるとともに、この係止部材の弾性圧接力を利用して両筒状カバーの嵌合接続部でのガタツキを抑制することができる。
また、前記第１筒状カバーと第２筒状カバーとが配管経路に沿って多数配設されている場合において、両筒状カバーの離脱阻止機能が要求されている嵌合接続箇所にのみ前記係止部材を選択的に取付けることができる。それでいて、前記係止部材を脱着可能に構成しながらも、この係止部材を第２筒状カバーに取付けた状態では、当該係止部材の筒軸芯方向及び周方向での位置を第２筒状カバーの凹部にて確定し、且つ、係合維持することができるから、両筒状カバーの離脱阻止機能を確実に発揮させることができる。
また、前記取付け板部に対して係止板部を交差姿勢で折り曲げ形成するだけであるから、係止部材を製造コスト面で有利に製作することができるとともに、係止部材の係止部を構成する係止板部の先端縁により、両筒状カバーの相対離脱移動時に第１筒状カバーの接続端部の外面に対して鋭く喰い込ませる又は鋭く引っ掻くことができるから、抜止め構造の簡素化と製造コストの低廉化とを図りながら両筒状カバーの離脱移動を良好に阻止することができる。
【００１１】
本発明の配管用カバーの抜止め構造による第２の特徴構成は、前記係止部材が、第１筒状カバーの接続端部との当接に連れて第２筒状カバーの内面側に弾性変形する状態で設けられている点にある。
【００１２】
上記構成によれば、前記第１筒状カバーの接続端部と第２筒状カバーの接続端部とを筒軸芯方向から嵌合接続する場合でも、前記係止部材が、第１筒状カバーの接続端部との当接に連れて第２筒状カバーの内面側に弾性変形するから、両筒状カバーの相対接続移動を阻害することがなく、周方向で複数に分割されている分割タイプから筒状に一体成形されている一体型タイプまでの各種形態の配管用カバーの抜止め構造として良好に適用することができる。
【００１３】
本発明の配管用カバーの抜止め構造による第３の特徴構成は、前記係止部材が、前記第２筒状カバーの接続端部の内面の周方向複数箇所に設けられている点にある。
【００１４】
上記構成によれば、前記第２筒状カバーの周方向複数箇所に設けられた各係止部材の係止部が、第１筒状カバーの接続端部の外面の周方向複数箇所に弾性力で圧接されるため、両筒状カバーの離脱移動を強力に阻止することができるとともに、両筒状カバーの嵌合接続部でのガタツキを良好に抑制することができる。
【００１７】
本発明の配管用カバーの抜止め構造による第４の特徴構成は、前記第２筒状カバーの凹部が、前記第１筒状カバーの接続端部の外面に接当又は近接する状態で径方向内方に向かって突出する区画突起により区画形成されている点にある。
【００１８】
上記構成によれば、前記係止部材を第２筒状カバーの内面に取付けるための凹部を形成するにあたって、第１筒状カバーの接続端部の外面に接当又は近接する状態で径方向内方に向かって突出する区画突起によって区画形成することにより、この区画突起を利用して第１筒状カバーの接続端部の外面と第２筒状カバーの接続端部の内面との対向面間に存在する隙間による嵌合部でのガタツキを抑制することができる。
【００２１】
本発明の配管用カバーの抜止め構造による第５の特徴構成は、前記係止部材の取付け板部に、前記第２筒状カバーの凹部に設けた取付けピンに外嵌可能な貫通孔が形成され、この貫通孔の周囲には、前記取付けピンの外面に喰い込み又は引っ掻き可能な係止端を備え、且つ、前記取付けピンへの外嵌装着に連れて弾性変形する複数の係止片が形成されている点にある。
【００２２】
上記構成によれば、前記係止部材を第２筒状カバーの凹部に取付ける際、前記係止部材の取付け板部に形成された貫通孔を前記凹部に設けた取付けピンに外嵌操作すると、この外嵌操作に連れて貫通孔の周囲に形成された複数の係止片が弾性変形して、各係止片の係止端が取付けピンの外面に喰い込む又は引っ掻く状態で圧接されるため、係止部材の抜け落ちを簡単な構造で確実に抑制することができる。
【００２３】
本発明の配管用カバーの抜止め構造による第６の特徴構成は、前記区画突起の凹部側となる内側面のうち、筒軸芯方向に沿う内側面の少なくとも一部が、前記凹部の取付け座面に対してそれの垂直線方向に離間するほど凹部内方側に突出する傾斜面に構成されている点にある。
【００２４】
上記構成によれば、前記第２筒状カバーの凹部に取付けられた係止部材に、前記凹部の取付け座面から垂直方向に捲り上がる外力が作用しても、この係止部材の周縁の一部が、区画突起の内側面の少なくとも一部に形成した凹部内方側に突出する傾斜面に係合するから、前記係止部材の抜け落ちを区画突起を利用した簡単な構成で良好に抑制することができる。
【００２５】
本発明の配管用カバーの抜止め構造による第７の特徴構成は、前記取付けピンが、第２筒状カバーの凹部の中心位置に対して偏位した部位に配置されている点にある。
【００２６】
上記構成によれば、前記第２筒状カバーの凹部に係止部材を取付ける際、係止部材の取付け板部が凹部に嵌まり込み、且つ、この取付け板部に形成された貫通孔が、凹部の中心位置に対して偏位した部位に配置された取付けピンに外嵌可能な特定の装着姿勢に無いと、係止部材を凹部に取付けることができないので、係止部材の誤装着に起因する離脱阻止機能の低下を防止することができる。
本発明の配管用カバーの抜止め構造による第８の特徴構成は、前記係止板部が、当該係止板部の前記先端縁が前記第２筒状カバーの奥側に位置するように、前記取付け板部に対して折り返し形成されている点にある。
【図面の簡単な説明】
【００２７】
【図１】本発明の第１実施形態を示す空調装置の配管カバーの配設系統図
【図２】直線状筒状カバーとコーナーカバーとの嵌合接続部の一部切欠き拡大側面図
【図３】直線状筒状カバーとコーナーカバーとの嵌合接続部の分解斜視図
【図４】コーナーカバーの一方の半割りコーナーカバー体の内面側の側面図
【図５】一方の半割りコーナーカバー体の断面図
【図６】コーナーカバーの他方の半割りコーナーカバー体の内面側の側面図
【図７】他方の半割りコーナーカバー体の断面図
【図８】凹部と係止部材の拡大断面図
【図９】係止部材の拡大斜視図
【図１０】係止部材の拡大正面図（ａ）と拡大断面図（ｂ）
【図１１】配管完了時の直線状筒状カバーとコーナーカバーとの嵌合接続部の横断面図
【図１２】直線状筒状カバーの挿入時（ａ）と抜け出し時（ｂ）の要部の拡大縦断面図
【図１３】本発明の第２実施形態を示す要部の拡大断面図
【発明を実施するための形態】
【００２８】
〔第１実施形態〕
本発明による配管用カバーの抜止め構造の実施形態を図面に基づいて説明する。
本発明が対象とする配管用カバーは、例えば、図１に示すように、空調装置の室内機Ａと室外機Ｂとの間の配管経路に沿って配設される冷媒管やドレンホース、電線などの配管類Ｃをカバーするのに使用されるもので、前記配管類Ｃは、室内機Ａから延出して建物の天井に沿って配設され、建物の壁Ｗを貫通した後、壁Ｗの外面に沿って上下方向に配設されて室外機Ｂに接続される。
【００２９】
前記配管用カバーとして、当該実施形態では、周方向で二分割された合成樹脂製の直線状の筒状カバー（第１筒状カバーの一例で、以下直線状筒状カバーと称する）１と、直線状筒状カバー１の接続端部同士を壁貫通直後位置において直角に外嵌状態で接続する周方向で二分割された合成樹脂製の筒状カバー２（第２筒状カバーの一例で、以下コーナーカバーと称する）と、上下方向に沿って配設される直線状筒状カバー１の接続端部同士を外嵌状態で接続する筒状カバー３（第２筒状カバーの一例で、以下ジョイントカバーと称する）と、最下側の直線状筒状カバー１の下端部に外嵌状態で接続される筒状カバー４（第２筒状カバーの一例で、以下端末カバーと称する）との４種類が用いられている。
【００３０】
尚、前記配管用カバーとしては、上記以外にも、例えば、異径用の連結カバーやＴ型の連結カバーなどが存在する。
【００３１】
前記直線状筒状カバー１のうち、室内側において水平姿勢で配設される直線状筒状カバー１は、吊り金具５を介して天井に吊下げ保持され、室外側において上下方向に沿って配設される直線状筒状カバー１は、それの一方の半割りカバー体１Ａが固定金具６を介して壁Ｗの外面に固定保持されている。
【００３２】
そして、図２〜図１２に示すように、前記直線状筒状カバー１の接続端部と前記コーナーカバー２の接続端部との嵌合接続部には、直線状筒状カバー１とコーナーカバー２との筒軸芯方向での相対的な離脱移動を阻止する抜止め手段Ｄが設けられ、直線状筒状カバー１とコーナーカバー２との相対的な離脱移動を防止した状態で、かつ、直線状筒状カバー１の接続端部の外面とコーナーカバー２の接続端部の内面との対向面間での隙間によるガタツキを抑制した状態で嵌合接続する本発明の抜け止め構造が適用されている。
【００３３】
前記直線状筒状カバー１は、図１〜図３、図１１に示すように、横断面形状が半円形の一対の半割りカバー体１Ａ、１Ｂから構成され、各半割りカバー体１Ａ、１Ｂの周方向の二箇所には、前記吊り金具５の両係止片又は固定金具６の両係止片６Ａと係合可能な係止溝１１が径方向内方に突出する状態で筒軸芯方向に沿って形成されているとともに、取付け面側に位置する一方の半割りカバー体１Ａの左右両側壁部１ａの端縁には、左右方向の外方側に向かって開口する「つ」の字状の被係止部１２が一体形成されているとともに、蓋側となる他方の半割りカバー体１Ｂの左右両側壁部１ｂの端縁には、一方の半割りカバー体１Ａの両被係止部１２に対してこれを径方向内方側に弾性変形させながら乗り越え移動して係合する略「レ」の字状の係止部１３が一体形成されている。
【００３４】
前記コーナーカバー２は、図１〜図７、図１１に示すように、直線状筒状カバー１に外嵌可能な半径で横断面半円形に形成され、且つ、側面視においてＬ字状に屈曲形成された一対の半割りコーナーカバー体２Ａ、２Ｂから構成され、一方の半割りコーナーカバー体２Ａの左右両側壁部２Ａａ，２Ａｂの端縁部には、他方の半割りコーナーカバー体２Ｂの両側壁部２Ｂａ，２Ｂｂの内面と面一となる内側係合片１５が一体形成されているとともに、他方の半割りコーナーカバー体２Ｂの左右両側壁部２Ｂａ，２Ｂｂの端縁部には、一方の半割りコーナーカバー体２Ａの内側係合片１５に対して径方向から外嵌する外側係合片１６が一体形成され、さらに、一方の半割りコーナーカバー体２Ａの両側壁部２Ａａ，２Ａｂの端縁近傍箇所には、他方の半割りコーナーカバー体２Ｂの外側係合片１６に外嵌して、当該外側係合片１６の先端とこれに相対向する内側係合片１５の基部外面側部位との間で発生した隙間を覆い隠す化粧板部１７が、前記内側係合片１５の突出代よりも大なる突出代で一体形成されている。
【００３５】
また、前記半割りコーナーカバー体２Ａ、２Ｂの両接続端部の内面には、両接続開口端縁に沿う状態で嵌合接続された直線状筒状カバー１の接続端部の外面に接当又は近接する第１リブ１８と、円周方向の二箇所において前記第１リブ１８とＴ字状に直交する状態で直線状筒状カバー１の接続端部の外面に接当又は近接する第２リブ１９と、前記直線状筒状カバー１の端面と筒軸芯方向から当接して当該直線状筒状カバー１の最大接続深さを規制する嵌合深さ規制リブ２０とが一体形成されているとともに、前記第１リブ１８と第２リブ１９とが同じ突出高さで連続形成されている。
【００３６】
前記一方の半割りコーナーカバー体２Ａの内方側壁部２Ａａの内面における湾曲方向中央位置の一箇所と外方側壁部２Ａｂの内面における略湾曲終了位置の二箇所には、両半割りコーナーカバー体２Ａ、２Ｂ同士を締付け連結するネジ２３のネジ部２３ａが挿通されるネジ孔２１ａとネジ２３の頭部２３ｂを受止める受け部２１ｂとを備えたネジ装着部２１が一体形成されているとともに、前記他方の半割りコーナーカバー体２Ｂの内方側壁部２Ｂａの内面における湾曲方向中央位置の一箇所と外方側壁部２Ｂｂの内面における略湾曲終了位置の二箇所には、一方の半割りコーナーカバー体２Ａのネジ装着部２１から挿通されたビス２３のネジ部２３ａが螺合されるネジ止め筒部２２が一体形成されている。
【００３７】
次に、本発明の抜け止め構造について説明する。
前記抜止め手段Ｄを構成するに、図２〜図７に示すように、前記コーナーカバー２の両半割りコーナーカバー体２Ａ、２Ｂの接続端部における内面の周方向二箇所の各々に、前記第１リブ１８と第２リブ１９との直交部分を利用して兼用構成される矩形環状の区画突起２５で区画形成される凹部２６が、前記半割りコーナーカバー体２Ａ、２Ｂの分割開口部の開口方向、つまり、一方の半割りコーナーカバー体２Ａの化粧板部１７の先端縁を結ぶ線分に対して直交する方向又は、他方の半割りコーナーカバー体２Ｂの両外側係合片１６の先端縁を結ぶ線分に対して直交する方向に開口する状態で形成されている。
【００３８】
前記区画突起２５は、前記第１リブ１８及び第２リブ１９と同じ突出高さに構成されている。
【００３９】
前記各凹部２６には、図８〜図１２に示すように、直線状筒状カバー１とコーナーカバー２との筒軸芯方向での相対離脱移動時に前記直線状筒状カバー１の接続端部の外面に喰い込み又は引っ掻き可能な状態で圧接される係止部７ａを備えた弾性変形可能なバネ鋼製の薄板状の係止部材２７が脱着可能に設けられている。
【００４０】
この係止部材２７は、図９、図１０に示すように前記半割りコーナーカバー体２Ａ、２Ｂの凹部２６内に嵌まり込む状態で取付けられる取付け板部２７Ａと、当該取付け板部２７Ａに対して横向きＶ字状の交差姿勢に折り曲げ形成された弾性変形可能な係止板部２７Ｂとからなり、前記係止板部２７Ｂの角張った薄肉の先鋭な先端縁が前記係止部２７ａに構成されている。
【００４１】
前記係止部材２７は、図１２（ａ）に示すように、直線状筒状カバー１の接続端部の端面又は外面との当接に連れて係止板部２７Ｂが半割りコーナーカバー体２Ａ、２Ｂの内面側、換言すれば、凹部２６の取付け座面２６ａ側に弾性変形するように、前記係止板部２７Ｂの係止部（先端縁）２７ａが取付け板部２７Ａとの折り曲げ箇所よりもコーナーカバー２の奥側に位置する装着姿勢で前記凹部２６に取付けられている。
【００４２】
前記係止部材２７の取付け板部２７Ａには、前記凹部２６の取付け座面２６ａに設けた円柱状の取付けピン２８に外嵌可能で、且つ、該取付けピン２８の外径よりも若干小なる内径の貫通孔２９が形成され、この貫通孔２９の周囲の四箇所には、前記取付けピン２８の外面に喰い込み又は引っ掻き可能な係止端２７ｂを備え、且つ、前記取付けピン２８への外嵌装着に連れて取付け座面２６ａから遠ざかる側に湾曲状に弾性変形する複数の係止片２７ｃが切り込み形成されている。
【００４３】
そのため、前記係止部材２７を半割りコーナーカバー体２Ａ、２Ｂの凹部２６に取付ける際、前記係止部材２７の取付け板部２７Ａに形成された貫通孔２９を前記凹部２６に設けた取付けピン２８に外嵌操作すると、この外嵌操作に連れて貫通孔２９の周囲に形成された複数の係止片２７ｃが取付け座面２６ａから遠ざかる側に湾曲状に弾性変形して、各係止片２７ｃの先端縁の係止端２７ｂが取付けピン２８の外面に喰い込む又は引っ掻く状態で圧接されるため、係止部材２７の抜け落ちを簡単な構造で確実に抑制することができる。
【００４４】
前記取付けピン２８は、半割りコーナーカバー体２Ａ、２Ｂの凹部２６の中心位置（対角線の交点）に対して筒軸芯方向に沿って嵌合深さ規制リブ２０の存在側に偏位した部位に配置されているとともに、前記係止部材２７の取付け板部２７Ａに設けられる貫通孔２９も、前記取付けピン２８に対応して同方向に同じ寸法だけ偏位して形成されている。
【００４５】
そのため、前記半割りコーナーカバー体２Ａ、２Ｂの凹部２６に係止部材２７を取付ける際、係止部材２７の取付け板部２７Ａが凹部２６に嵌まり込み、且つ、この取付け板部２７Ａに形成された貫通孔２９が、凹部２６の中心位置に対して偏位した部位に配置された取付けピン２８に外嵌可能な特定の装着姿勢に無いと、係止部材２７を凹部２６に取付けることができないので、係止部材２７の誤装着に起因する離脱阻止機能の低下を確実に防止することができる。
【００４６】
さらに、図８に示すように、前記区画突起２５の凹部２６側となる内側面２５ａのうち、筒軸芯方向に沿う内側面の一部が、前記凹部２６の取付け座面２６ａに対してそれの垂直線方向に離間するほど凹部２６内方側に突出する傾斜面２５ｂに構成されている。
【００４７】
前記傾斜面２５ｂの傾斜方向は、一方の半割りコーナーカバー体２Ａの化粧板部１７の先端縁を結ぶ線分に対して直交する方向又は、他方の半割りコーナーカバー体２Ｂの両外側係合片１６の先端縁を結ぶ線分に対して直交する方向と合致し、且つ、両半割りコーナーカバー体２Ａ、２Ｂの成形時の型抜き方向と合致する。
【００４８】
そのため、前記半割りコーナーカバー体２Ａ、２Ｂの凹部２６に取付けられた係止部材２７に、前記凹部２６の取付け座面２６ａから垂直方向に捲り上がる外力が作用しても、この係止部材２７の周縁の一部が、区画突起２５の内側面２５ａの一部に形成した凹部２６の内方側に突出する傾斜面２５ｂに係合するから、前記係止部材２７の抜け落ちを区画突起２５を利用した簡単な構成で良好に抑制することができる。
【００４９】
尚、前記区画突起２５の凹部２６側となる内側面２５ａの全体を、前記凹部２６の取付け座面２６ａに対してそれの垂直線方向に離間するほど凹部２６内方側に突出する傾斜面２５ｂに構成してもよい。
【００５０】
そして、図１２（ａ）に示すように、前記半割りコーナーカバー体２Ａ、２Ｂの凹部２６に係止部材２７の取付け板部２７Ａを嵌め込み状態で取付け、前記直線状筒状カバー１の接続端部とコーナーカバー２の接続端部とを嵌合接続した状態では、前記半割りコーナーカバー体２Ａ、２Ｂの第１リブ１８と第２リブ１９及び区画突起２５が直線状筒状カバー１の接続端部の外面に接当又は近接する状態にあり、前記係止部材２７の係止板部２７Ｂは、直線状筒状カバー１の接続端部の外面と凹部２６の取付け座面２６ａとの間に位置し、前記係止板部２７Ｂの係止部（先端縁）２７ａは、当該係止板部２７Ｂの弾性復元力を利用して直線状筒状カバー１の接続端部の外面に喰い込み又は引っ掻き可能な状態で圧接されている。
【００５１】
この状態において、図１２（ｂ）に示すように、直線状筒状カバー１とコーナーカバー２との嵌合接続部に振動や地震等に起因する離脱方向の外力が作用したときには、前記係止板部２７Ｂの係止部２７ａが直線状筒状カバー１の接続端部の外面に喰い込む又は引っ掻くことによる離脱阻止抵抗により、直線状筒状カバー１とコーナーカバー２との筒軸芯方向での相対離脱移動を阻止することができる。
【００５２】
尚、当該第１実施形態では、本発明の抜け止め構造を、前記直線状筒状カバー１の接続端部と前記コーナーカバー２の接続端部との嵌合接続部に適用した場合を例に挙げて説明したが、前記直線状筒状カバー１の接続端部とジョイントカバー３の接続端部との嵌合接続部、又は、前記直線状筒状カバー１の下端側の接続端部と端末カバー４の接続端部との嵌合接続部、若しくは、全ての嵌合接続部に本発明の抜け止め構造を適用してもよい。
この場合の各抜け止め構造は上述の第１実施形態で詳述した抜け止め構造と基本的に同じである。
【００５３】
〔第２実施形態〕
上述の第１実施形態では、コーナーカバー２の内面に形成した凹部２６に、直線状筒状カバー１の接続端部の外面に喰い込み又は引っ掻き可能な状態で圧接される係止部７ａを備えた弾性変形可能な係止部材２７を脱着可能に設けたが、図１３に示すように、前記係止部材２７の取付け板部２７Ａを、インサート成形でコーナーカバー２の内面側に埋設固定してもよい。
尚、その他の構成は、第１実施形態で説明した構成と同一であるから、同一の構成箇所には、第１実施形態と同一の番号を付記してそれの説明は省略する。
【００５４】
〔その他の実施形態〕
（１）上述の第１実施形態では、前記係止部材２７の取付け板部２７Ａをコーナーカバー２の内面に脱着可能に取付け、また、上述の第２実施形態では、係止部材２７の取付け板部２７Ａをコーナーカバー２に埋設固定したが、この係止部材２７の取付け板部２７Ａを、接着剤やビス等でコーナーカバー２の内面に固定してもよい。
【００５５】
（２）上述の第１実施形態では、前記係止部材２７の係止部２７ａを、凹部２６の取付け座面２６ａと平行な一直線状に構成したが、この係止部材２７の係止部２７ａを円弧状、Ｖ字条、凹凸状、波形状等に形成してもよい。
また、一つの係止部材２７に、左右方向又は筒軸芯方向若しくは両方向に間隔をあけて複数の係止部２７ａを形成してもよい。
【００５６】
（３）上述の第１実施形態では、前記係止部材２７を、コーナーカバー２の接続端部の内面における周方向の複数箇所で、且つ、筒軸芯方向の一箇所の同一位置に設けたが、前記係止部材２７の取付け位置を筒軸芯方向で位置齟齬させてもよい。
また、前記係止部材２７の周方向での配置数を減少して、筒軸芯方向での配置数を増加
してもよい。
【００５７】
（４）上述の第１実施形態では、前記コーナーカバー２の接続端部の内面における周方向複数箇所に係止部材２７を取付けたが、この係止部材２７をコーナーカバー２の接続端部の内面における周方向一箇所にだけ設けてもよい。
【００５８】
（５）上述の第１実施形態では、前記第１リブ１８と第２リブ１９との直交部分を利用して兼用構成される矩形環状の区画突起２５で凹部２６を区画形成したが、専用の区画突起２５で凹部２６を区画形成してもよい。
【００５９】
（６）上述の第１実施形態では、前記凹部２を環状の区画突起２５で区画形成したが、この凹部２を断続する区画突起２５で区画形成してもよい。
また、前記凹部２としては、少なくとも筒軸芯方向での相対移動を係止状態で阻止することのできるものであればよい。
さらに、前記凹部２をコーナーカバー２の内面に窪み形成してもよい。
【符号の説明】
【００６０】
Ｄ      抜止め手段
１      第１筒状カバー（直線状筒状カバー）
２      第２筒状カバー（コーナーカバー）
３      第２筒状カバー（ジョイントカバー）
４      第２筒状カバー（端末カバー）
２５    区画突起
２５ａ  内側面
２５ｂ  傾斜面
２６    凹部
２６ａ  取付け座面
２７    係止部材
２７Ａ  取付け板部
２７Ｂ  係止板部
２７ａ  係止部（先端縁）
２７ｂ  係止端
２７ｃ  係止片
２８    取付けピン
２９    貫通孔
【図１】
0005600258.tif 000002
【図２】
0005600258.tif 000003
【図３】
0005600258.tif 000004
【図４】
0005600258.tif 000005
【図５】
0005600258.tif 000006
【図６】
0005600258.tif 000007
【図７】
0005600258.tif 000008
【図８】
0005600258.tif 000009
【図９】
0005600258.tif 000010
【図１０】
0005600258.tif 000011
【図１１】
0005600258.tif 000012
【図１２】
0005600258.tif 000013
【図１３】
0005600258.tif 000014